(57)【要約】【課題】果実の収穫作業の効率化を図る。【解決手段】表面が滑らかで、かつ、伸びの少ないポリエステル系合成繊維の布地で多角形１０を形成し、その中央部分に果樹の幹を通す孔１２を設け、その孔１２から外周縁に連通する面ファスナー付きのスリットを設ける。また、多角形１０の頂点に果樹の枝に止める吊り紐１７を設け、さらに、前記幹を通す孔１２に近接して排出口１８を設けて、その排出口１８に排出路１９を設け、果樹に取り付けた多角形１０が果実を受けて排出路を介して収穫できるようにする。その際、果樹を受ける布地は、表面が滑らかで伸びの少ないものなので、途中で溜まらずに排出路１９を通って収穫カゴ２０へ運ばれる。したがって、手間がかからず、収穫作業の効率化が図れる。【選択図】図３
2005080585.tif 000002
【特許請求の範囲】
【請求項１】
表面が滑らかで、かつ、伸びの少ない布地で形成した多角形の中央部分に果樹の幹を通す孔を設け、その孔から多角形の外周縁に連通するスリットを設けるとともに、前記スリットを取り外し可能に接合する係止手段を備え、
一方、前記多角形の頂点に、果樹の枝に止める係合部材を備えるとともに、前記中央部分に設けた幹を通す孔に近接した位置に果実の排出口を設け、その排出口に筒状の排出路を設けた果実収穫用具。
【請求項２】
上記布地をポリエステル系合成繊維とした請求項１に記載の果実収穫用具。
【発明の詳細な説明】
【技術分野】
【０００１】
この発明は、果樹から落下する果実を受け止めて収穫するのに用いられる果実収穫用具に関するものである。
【背景技術】
【０００２】
果実の収穫は市場動向などを見ながら、最適なときを見計らって速やかに出荷しなければならない。また、その収穫に際しては、傷などを付けずに収穫しなければ長い期間丹精込めて育成した努力が無駄になる。
【０００３】
そのため、例えば、〔特許文献１〕に示すような、果実収穫用ネットを利用することが考えられる。
【０００４】
このネットは、図４（ａ）に示すように、多角形（四角形）状に形成したネット１の各頂点に吊り手２を設けたもので、そのネット１の外周からネットの中央部まで、ファスナーや係止紐４などによって開閉可能にした幹挿通用の切り込み３を設けてある。
【０００５】
そして、その幹挿通用の切り込み３を介して、図４（ｂ）のように、果樹の幹ａを中心にして囲むように枝の下にネット１を広げて吊り手２を枝に取り付け、枝から落ちる果実を受け止める。受け止めた果実は、吊り手２の一つを外してネット１の一つの角を低くすることにより、ネット１上の果実をころがして、カゴなどに収容できるようにしたものである。
【特許文献１】実開昭５７−６２５２２号公報
【発明の開示】
【発明が解決しようとする課題】
【０００６】
しかしながら、上記の果実収穫用ネットでは、吊り手の一つを外しネットの一つの角を低くしてネットで受け止めた果実をカゴに収容しなければならない。そのため、吊り手を外すために一々ハシゴを準備して登らなければならず、危険だし効率も悪い。
【０００７】
また、ネットは、受け止めた果実が転がるとネットの目が開き、開いた目に果実が嵌って転がる邪魔をするので、途中に溜まってしまうし、傷を付ける恐れもある。こうなると、溜まった果実を収容の際に、傷を付けないように払いだす作業をしなければならないので、手間が掛かるという問題もある。
【０００８】
そこで、この発明の課題は、吊り手の一つを外してネットの一つの角を低くしなくても、カゴに果実を収容できるようにして作業効率の向上を図れるようにすると同時に、果実の重さが重くても途中に溜まったり、果実を傷つけたりしないようにすることである。
【課題を解決するための手段】
【０００９】
上記の課題を解決するため、この発明では、表面が滑らかで、かつ、伸びの少ない布地で形成した多角形の中央部分に果樹の幹を通す孔を設け、その孔から多角形の外周縁に連通するスリットを設けるとともに、前記スリットを取り外し可能に接合する係止手段を備え、一方、前記多角形の頂点に、果樹の枝に止める係合部材を備えるとともに、前記中央部分に設けた幹を通す孔に近接した位置に果実の排出口を設け、その排出口に筒状の排出路を設けた構成を採用したのである。
このような構成を採用することにより、係止手段を外してスリットを開き、多角形の布地の中央部分の孔に果樹の幹を挿通したのち、開いているスリットを閉じて係止手段で止める。次に、中央部分が低く果実が受けられるように広げて多角形の各頂点を係合部材で果樹の枝に取り付ける。すると、布地で受けられた果実は、中央部分の孔に近接した位置に設けた排出口から排出路を通って排出されるので、排出路の先にカゴを置いておけば自動的に収穫できる。その際、果実を受ける多角形の布地は、表面が滑らかで、かつ、伸びの少ないものとしたので果実の重みで目が伸びることはなく、傷も付きにくく、排出口までの途中で溜まることは少ない。
【００１０】
このとき、上記布地をポリエステル系合成繊維とした構成を採用することにより、ポリエステル系合成繊維（例えば、テトロン（登録商標））は、繊維自体が滑らかで、機械的な強さも大きく耐久性がある。またヤング率が大きいので伸びも少なく、耐シワ性もすぐれているので、果実の重みで目が伸びることはなく、排出口までの途中で溜まることを少なくできる。さらに、吸水性が無くてすぐ乾くので、果実収穫用具の布地として最適である。
【発明の効果】
【００１１】
この発明は、以上のように構成したことにより、果実は途中で溜まらずに排出路の下に置いた容器に溜まるので、収穫作業の効率化が図れる。
【発明を実施するための最良の形態】
【００１２】
以下、この発明の実施の形態を図面に基づいて説明する。
図１（ａ）に示すように、この形態の果実収穫用具は、表面が滑らかで、かつ、伸びの少ない布地を多角形１０に形成したものである。この形態の場合、ポリエステル系合成繊維の布地を８角形にカットしたもので、中心から各頂点１１までの長さは２５０ｃｍ程度となっており、梅などの大きさの果樹に対応した形状のものである。
【００１３】
前記多角形１０は、中央部分に半径５０ｃｍ程度の果樹の幹を通す孔１２が設けられており、その孔１２から多角形１０の外周縁１３に連通するスリット１４が設けられている。
【００１４】
前記孔１２には、図１（ｂ）に示すように、アジャスタ１５が設けられている。アジャスタ１５は、前記孔１２の端部を内側に折り曲げて袋状にして紐を通したもので、紐を幹を通した際に引っ張って隙間ができないようにするためのものである。
【００１５】
また、前記スリット１４に、係止手段１６として面ファスナー１６を備えてワンタッチで開閉できるようにしてある。なお、この形態では、係止手段１６に面ファスナー１６を用いて作業性を向上させたが、これに限定されるものではなく、ファスナー、ホック、ボタン、紐などスリットを係止できるものであれば、どのようなものでもよい。
【００１６】
一方、多角形１０の各頂点１１には、図２のように係合部材１７が備えてある。前記係合部材１７は、ここでは、細長い吊り下げ用の紐１７で、果樹の枝にくくりつけるようにしてある。なお、ここでは、係合部材１７に紐１７を採用したが、これ以外にもベルトやロープなど枝に取り付けられるものであればどのようなものでもよい。さらに、紐やロープの先端に輪などを設けて取り付けやすいようにしたものでもよい。
【００１７】
この多角形１０の中央部分には、排出口１８が設けられている。この排出口１８は、果実を排出するためのもので、果樹の幹を通す孔１２に近接した位置（ちなみに、ここでの孔１２と排出口１８の中心間の距離は７５ｃｍ程度にしてある）に設けて多角形１０で受けた果実が集まるようにしてある。また、その径は、果実が充分に通ることのできる大きさ（ここでは、半径１２．５ｃｍ程度）に形成している。
【００１８】
また一方、前記排出口１８には、筒状の排出路１９が設けられており、その筒の先端にはカゴなどの収集用の容器を置くようになっている。
【００１９】
この形態は上記のように構成されており、この果実収穫用具は、使用しないときや使用後は、ポリエステル系合成繊維をペースとする布地なので薄くて軽いため、小さく折り畳んで仕舞っておける。また、薄くて軽いので、設置場所へ運ぶときや果樹に設置する場合も容易にできるので効率も上がる。
【００２０】
ところで、この果実収穫用具の設置作業の方法は、例えば、果実収穫用具を広げ、面ファスナー１６を外してスリット１４を開け、開けたスリット１４を介して果樹の幹を中央の孔１２に通したのち、面ファスナー１４を閉じる。次に、脚立などを使って、図３に示すように多角形１０の吊り紐１７を樹の枝に結び付ける。その際、排出口１８が一番低くなるように枝を選んで結び付けたのち、アジスタ１５を調節して幹との間に隙間が開かないようにする。最後に排出路１９の下に収穫カゴ２０を配置して設置作業が終了する。
【００２１】
この状態で、樹を揺すって果実を落下させても良いし、完熟して自然に落下するのを待ってもよい。その場合、多角形１０は、軽くて薄いので風にも強く、また、吸水性が無くてすぐ乾くので長期間の設置にも耐えることができる。
【００２２】
すると、落ちてきた果実は布地が受ける。このとき、布地は表面が滑らかで、かつ、伸びの少ないものとしたので、落下する果実を受ける際に適度な張りがあり、ソフトに受けることができるので果実を傷つけ難く、品質の向上が図れる。また、布地で受けられた果実は、中央部分の孔１２に近接した位置に設けた排出口１８から排出路１９を通って収穫カゴ２０に運ばれる。その際、果実を受ける布地は、表面が滑らかで、かつ、伸びの少ないものとしたので果実の重みで目が伸びることはない。その結果、排出口１８までの途中で溜まることなく移動し、排出路１９によって収穫カゴ２０まで運ばれるので、手間がかからず収穫できる。したがって、作業効率の向上が図れる。
【００２３】
このように、果実は途中で溜まらずに排出路１８の下に置いた収穫カゴ２０に溜まるので、収穫作業の効率化が図れる。
【００２４】
なお、上記実施形態では、布地にポリエステル系合成繊維のものを示したが、これに限定されるものではなく、ポリエステル系合成繊維と同程度の滑らかさと、伸びの少ない布地であれば使用できることは当然である。
【産業上の利用可能性】
【００２５】
果樹の種類や大きさあるいは枝振りなどに合わせて多角形の形状や寸法と中央部の孔の大きさなどを変えることができるので、種類や形態に係わらずどのような果樹にも使用できる。
【図面の簡単な説明】
【００２６】
【図１】（ａ）実施形態の平面図、（ｂ）（ａ）の１b−１b拡大断面図
【図２】実施形態の斜視図
【図３】実施形態の作用説明図
【図４】（ａ）従来例の平面図、（ｂ）従来例の作用説明図
【符号の説明】
【００２７】
１０  多角形
１１  頂点
１２  孔
１３  外周縁
１４  スリット
１５  アジャスタ
１６  面ファスナー
１７  紐                                                                        １８  排出口
１９  排出路
【図１】
2005080585.tif 000003
【図２】
2005080585.tif 000004
【図３】
2005080585.tif 000005
【図４】
2005080585.tif 000006